(57)【要約】【課題】  、送信が２チャンネルの双方向光モジュールであって、小型、且つ低コストな双方向光モジュールを提供する。【解決手段】  本発明の実施の形態に係る双方向光モジュールでは、第１の光送信サブアセンブリ、光受信サブアセンブリ、及び光ファイバが、第１の筐体を介して光学的に結合される。第２の光送信サブアセンブリは第１の筐体に対して移動可能な第２の筐体に支持され、上記光ファイバと光学的に結合される。【選択図】  図１
2006285087.tif 000002
【特許請求の範囲】
【請求項１】
第１の波長の光を発生する第１の発光素子と、該第１の発光素子からの光を一方の面に受けて該光を他方の面から出射する第１の集光レンズと、を有する第１の光送信サブアセンブリと、
第２の波長の光を発生する第２の発光素子と、該第２の発光素子からの光を一方の面に受けて該光を他方の面から出射する第２の集光レンズと、を有する第２の光送信サブアセンブリと、
第３の波長の光を一方の面に受けて該光を他方の面から出射する第３の集光レンズと、該第３の集光レンズの他方の面に光学的に結合された受光素子と、を有する光受信サブアセンブリと、
第１の軸線に沿って延びる管状の第１の筐体であって、該第１の軸線に交差する第２の軸線に沿って前記第１の光送信サブアセンブリを支持する第１の支持部と、前記第１の軸線に交差する第３の軸線に沿って前記光受信サブアセンブリを支持する第２の支持部と、を有する第１の筐体と、
前記第１の軸線に沿って延びる管状の第２の筐体であって、前記第１の軸線に沿って前記第２の光送信サブアセンブリを支持する第３の支持部を有する該第２の筐体と、
前記第１の筐体内において前記第１の軸線及び前記第２の軸線に交差する面に沿って設けられており、前記第１の波長の光を反射し、他の波長の光を透過する第１の光学フィルタと、
前記第１の筐体内において前記第１の軸線及び前記第３の軸線に交差する面に沿って設けられており、前記第３の波長の光を反射し、他の波長の光を透過する第２の光学フィルタと、
前記第１の集光レンズの他方の面に前記第１の光学フィルタを介して光学的に結合され、前記第２の集光レンズの他方の面に光学的に結合され、前記第３の集光レンズの一方の面に前記第２の光学フィルタを介して光学的に結合される光ファイバを保持する保持部材と、
を備え、
前記第１の筐体は、前記第１の軸線に交差する面に沿っており前記保持部材の一端に対面している第１の面と、前記第１の面に対向する第２の面と、を更に有しており、
前記保持部材は、前記一端が前記第１の面に沿うように前記第１の筐体に支持され、
前記第２の筐体は、前記第２の面に対面する第３の面を更に有しており、該第３の面が前記第２の面に沿うように前記第１の筐体に支持される、
双方向光モジュール。
【請求項２】
前記第２の支持部は、前記第３の軸線に交差する面に沿って設けられた第４の面を有しており、
前記光受信サブアセンブリは、前記第４の面に対面する第５の面を有しており、
前記光受信サブアセンブリは、前記第５の面が前記第４の面に沿うように前記第２の支持部に支持される、
請求項１記載の双方向光モジュール。
【発明の詳細な説明】
【技術分野】
【０００１】
本発明は、双方向光モジュールに関するものあり、特に送信に２チャンネルのポートを有する双方向光モジュールに好適なものである。
【背景技術】
【０００２】
双方向光モジュールには、送信チャンネル用の光送信サブアセンブリと、受信チャンネル用の二つの光受信サブアセンブリと、光ファイバと、筐体とを備えるものがある。この筐体は、管状をなしている。また、この筐体は、その一端から管軸方向に沿って挿入される光送信サブアセンブリを支持し、他端面に沿って光ファイバを支持することによって、光ファイバと光送信サブアセンブリとを高精度に光学的に結合している。一方、光受信サブアセンブリは、筐体の側面に支持されており、光学フィルタを介して光ファイバに光学的に結合されている（例えば、特許文献１を参照）。
【特許文献１】特表２００３−５２４７８９号公報
【発明の開示】
【発明が解決しようとする課題】
【０００３】
ところで、送信が２チャンネルの双方向光送受信装置として、一つの光受信モジュールと、二つの光送信モジュールとを別途に備えるものがある。この装置においては、光送信モジュール及び光受信モジュールのそれぞれに光ファイバが接続されており、それぞれの光ファイバには所望の帯域の信号を通過させるフィルタが取り付けられている。また、それぞれの光ファイバは、光合分波器に接続されている。この装置は、フィルタや光合分波器といった多くの光学部品を備えているために、小型化が困難であり、また、高コストになっている。
【０００４】
そこで、本発明は、送信が２チャンネルの双方向光モジュールであって、小型、且つ低コストな双方向光モジュールを提供することを目的としている。
【課題を解決するための手段】
【０００５】
本発明の双方向光モジュールは、第１の光送信サブアセンブリ、第２の光送信サブアセンブリ、光受信サブアセンブリ、第１の筐体、第２の筐体、第１の光学フィルタ、第２の光学フィルタ、及び保持部材を備えている。第１の光送信サブアセンブリは、第１の波長の光を発生する第１の発光素子と、第１の発光素子からの光を一方の面に受けて該光を他方の面から出射する第１の集光レンズと、を有している。第２の光送信サブアセンブリは、第２の波長の光を発生する第２の発光素子と、第２の発光素子からの光を一方の面に受けて該光を他方の面から出射する第２の集光レンズと、を有している。光受信サブアセンブリは、第３の波長の光を一方の面に受けて該光を他方の面から出射する第３の集光レンズと、第３の集光レンズの他方の面に光学的に結合された受光素子と、を有している。第１の筐体は、第１の軸線に沿って延びる管状の部材である。第１の筐体は、第１の軸線に交差する第２の軸線に沿って第１の光送信サブアセンブリを支持する第１の支持部と、第１の軸線に交差する第３の軸線に沿って光受信サブアセンブリを支持する第２の支持部と、を有している。第２の筐体は、第１の軸線に沿って延びる管状の部材である。第２の筐体は、第１の軸線に沿って第２の光送信サブアセンブリを支持する第３の支持部を有している。第１の光学フィルタは、第１の筐体内において第１の軸線及び第２の軸線に交差する面に沿って設けられており、第１の波長の光を反射し、他の波長の光を透過する。第２の光学フィルタは、第１の筐体内において第１の軸線及び第３の軸線に交差する面に沿って設けられており、第３の波長の光を反射し、他の波長の光を透過する。保持部材は、光ファイバを保持しており、この光ファイバは、第１の集光レンズの他方の面に第１の光学フィルタを介して光学的に結合され、第２の集光レンズの他方の面に光学的に結合され、第３の集光レンズの一方の面に第２の光学フィルタを介して光学的に結合される。第１の筐体は、第１の面と第２の面とを更に有している。第１の面は、第１の軸線に交差する面に沿っており保持部材の一端に対面している。第２の面は、第１の面に対向している。保持部材は、その一端が第１の面に沿うように第１の筐体に支持される。第２の筐体は、第２の面に対面する第３の面を更に有しており、第３の面が第２の面に沿うように第１の筐体に支持される。
【０００６】
この双方向光モジュールによれば、第１及び第２の光送信サブアセンブリそれぞれの発光素子、並びに光受信サブアセンブリの受光素子を、高価な光合分波器等を用いずに、一芯の光ファイバに光学的に結合することができる。また、第１の筐体及び第２の筐体からなる筐体に、第１及び第２の光送信サブアセンブリ、並びに光受信サブアセンブリを組み付けることができる。したがって、小型且つ低コストの双方向光モジュールが提供される。
【０００７】
更に、この双方向光モジュールでは、第１の面に沿って保持部材を移動させることによって第１の軸線に交差する二方向に保持部材を移動させることができる。また、第２の軸線に沿って第１の光送信サブアセンブリを移動させることによって第１の集光レンズと光ファイバとの間の光路長を調整することができる。したがって、光ファイバと第１の光送信サブアセンブリの第１の発光素子とを、安価な集光レンズを介して高精度に光学的に結合することが可能である。更に、第２の筐体を用いることによって第１の軸線方向に第２の光送信サブアセンブリを移動させることができるので、第２の集光レンズと光ファイバとの間の光路長を調整することが可能である。また、第３の面を第２の面に沿わせて第２の筐体を第１の軸線に交差する二方向に移動させることができる。したがって、光ファイバと第２の光送信サブアセンブリの第２の発光素子とを、安価な集光レンズを介して高精度に光学的に結合することが可能である。
【０００８】
本発明の光モジュールにおいて、第２の支持部は、第３の軸線に交差する面に沿って設けられた第４の面を有しており、光受信サブアセンブリは、第４の面に対面する第５の面を有しており、光受信サブアセンブリは、第５の面が第４の面に沿うように第２の支持部に支持されることが好ましい。
【０００９】
この構成によれば、光受信サブアセンブリを第３の軸線に交差する二方向へ移動させた後に当該光受信サブアセンブリを第１の筐体に固定することができる。したがって、光受信サブアセンブリと光ファイバとを、より高精度に光学的に結合させることができる。
【発明の効果】
【００１０】
本発明によれば、送信が２チャンネルの双方向光モジュールであって、小型、且つ低コストな双方向光モジュールが提供される。また、この双方向光モジュールによれば、二つの光送信サブアセンブリそれぞれの発光素子と光ファイバとを高精度に光学的に結合させることができる。
【発明を実施するための最良の形態】
【００１１】
以下、図面を参照して本発明の好適な実施形態について詳細に説明する。なお、各図面において同一又は相当の部分に対しては同一の符号を附すこととする。
【００１２】
［第１の実施の形態］
【００１３】
図１は、本発明の第１の実施の形態に係る双方向光モジュールを一部破断して示す分解斜視図である。図２は、本発明の第１の実施の形態に係る双方向光モジュールの断面図である。図１及び図２に示す双方向光モジュール１０は、光送信サブアセンブリ１２、光送信サブアセンブリ１４、光受信サブアセンブリ１６、保持部材１８、第１の筐体２０、及び第２の筐体２２を備えている。
【００１４】
光送信サブアセンブリ１２は、ハウジング１２ａ、サブマウント１２ｂ、発光素子１２ｃ、集光レンズ１２ｄ、及びスリーブ１２ｅを有している。ハウジング１２ａは、ベース１２ｆ、カバー１２ｇ、及びリード端子１２ｈを含んでいる。
【００１５】
ベース１２ｆは、搭載面１２ｉを有している。ベース１２ｆには、搭載面１２ｉに交差する方向に延びる複数の孔が設けられている。これらの孔には、リード端子１２ｈが挿入されている。
【００１６】
搭載面１２ｉには、サブマウント１２ｂが搭載されている。このサブマウント１２ｂには、発光素子１２ｃが支持されている。発光素子１２ｃは、第１の波長の光を発生する。発光素子１２ｃとしては、中心波長１５３０ｎｍの光を発生する半導体レーザが例示される。
【００１７】
また、搭載面１２ｉには、カバー１２ｇが支持されている。カバー１２ｇは、略管状の部材であり、サブマウント１２ｂ及び発光素子１２ｃを覆うように設けられている。カバー１２ｇの一端には、当該カバー１２ｇの他の部分より小径のレンズ保持部が設けられている。このレンズ保持部によって、集光レンズ１２ｄが保持されている。集光レンズ１２ｄの一方の面は、発光素子１２ｃと光学的に結合されている。集光レンズ１２ｄは、一方の面に発光素子１２ｃからの光を受け、当該光を他方の面から出射する。
【００１８】
カバー１２ｇの外周には、管状のスリーブ１２ｅが設けられている。このスリーブ１２ｅの基端は、搭載面１２ｉに支持されている。スリーブ１２ｅは、ＹＡＧレーザ溶接の可能な材料、例えばステンレスによって構成されている。
【００１９】
光送信サブアセンブリ１４は、光送信サブアセンブリと同様に、ハウジング１４ａ、サブマウント１４ｂ、発光素子１４ｃ、集光レンズ１４ｄ、及びスリーブ１４ｅを有している。ハウジング１４ａは、ベース１４ｆと、カバー１４ｇと、リード端子１４ｈとを含んでいる。発光素子１４ｃが、第１の波長とは異なる第２の波長の光（例えば、中心波長１５７０ｎｍの光）を発生する点を除いて、光送信サブアセンブリ１４の各構成要素は、光送信サブアセンブリ１２における対応の構成要素と同様である。
【００２０】
光受信サブアセンブリ１６は、後述する光ファイバ１８ｆからの第３の波長の光（例えば、中心波長１５１０ｎｍの光）を受光する。光受信サブアセンブリ１６は、ハウジング１６ａ、サブマウント１６ｂ、受光素子１６ｃ、及び集光レンズ１６ｄを有している。ハウジング１６ａは、ベース１６ｆ、カバー１６ｇ、及びリード端子１６ｈを含んでいる。
【００２１】
ベース１６ｆは、搭載面１６ｉを有している。ベース１６ｆは、この搭載面に交差する方向に延びる複数の孔を有している。これらの孔にはリード端子１６ｈが挿入されている。搭載面１６ｉには、サブマウント１６ｂを介して、フォトダイオードといった受光素子１６ｃが搭載されている。
【００２２】
搭載面１６ｉには、略管状のカバー１６ｇが支持されている。このカバー１６ｇは、サブマウント１６ｂ及び受光素子１６ｃを覆うように設けられている。カバー１６ｇは、ＹＡＧレーザ溶接が可能な材料、例えばステンレスによって構成されている。
【００２３】
カバー１６ｇの一端は、他の部分より小径のレンズ保持部になっており、当該レンズ保持部に集光レンズ１６ｄが保持されている。集光レンズ１６ｄは、一方の面に第３の波長の光を受け、当該光を他方の面から出射する。集光レンズ１６ｄの他方の面は、受光素子１６ｃに光学的に結合されている。
【００２４】
保持部材１８は、スタブ１８ａ、ホルダ１８ｂ、カバー１８ｃ、及び光ファイバ１８ｄを有している。スタブ１８ａは、フェルール１８ｅ及び光ファイバ１８ｆを含んでいる。
【００２５】
フェルール１８ｅは、略管状の部材であって、その内孔に光ファイバ１８ｆを保持している。ホルダ１８ｂは、略管状の部材であって、その内孔に設けられたスタブ１８ａを保持している。このホルダ１８ｂの基端は、保持部材１８の一端を構成している。したがって、ホルダ１８ｂはＹＡＧレーザ溶接が可能な材料、例えば、ステンレスといった材料によって構成されている。このホルダ１８ｂの一部、及び、光ファイバ１８ｆに連続する光ファイバ１８ｄの一部は、カバー１８ｄによって覆っている。
【００２６】
第１の筐体２０は、軸線（第１の軸線）Ｘ方向に延びる管状の部材である。第１の筐体２０は、ＹＡＧレーザ溶接が可能な材料、例えばステンレスによって構成されている。第１の筐体２０は、第１の面２０ａ及び第２の面２０ｂを有している。
【００２７】
本実施の形態においては、第１の筐体２０は、軸線Ｘ方向へ順に本体部２０ｉ及びフランジ部２０ｊを有している。フランジ部２０ｊは、本体部２０ｉの一端に設けられている。軸線Ｘに交差する方向におけるフランジ部２０ｊのサイズは、本体部２０ｉの同方向のサイズより大きくなっている。このフランジ部２０ｊの先端側の面が第１の面２０ａになっており、第１の面２０ａに対向する当該フランジ部２０ｊの面が第２の面２０ｂになっている。
【００２８】
第１の筐体２０の本体部２０ｉには、軸線Ｘに交差する軸線（第２の軸線）Ｙに沿って孔２０ｄが設けられている。また、本体部２０ｉには、軸線Ｘに交差する軸線（第３の軸線）Ｚに沿って孔２０ｅが設けられている。
【００２９】
孔２０ｄは、第１の筐体２０の内孔２０ｆに向かう方向へ順に設けられた大径の孔と小径の孔から構成されている。当該大径の孔と小径の孔との境界に位置する段部には、カットフィルタ２４が搭載されている。カットフィルタ２４の一方の面２４ａは、集光レンズ１２ｄの他方の面に光学的に結合されており、カットフィルタ２４の他方の面２４ｂは後述する光学フィルタ２８の一方の面２８ａに光学的に結合されている。このカットフィルタ２４は、第１の波長の光を透過し、他の波長の光を遮断する。したがって、このカットフィルタ２４によれば、光送信サブアセンブリ１４からの第２の波長の光が光送信サブアセンブリ１２に入射することを防止することができる。
【００３０】
孔２０ｅも同様に、内孔２０ｆに向かう方向へ順に設けられた大径の孔と小径の孔から構成されている。当該大径の孔と小径の孔との境界に位置する段部には、カットフィルタ２６が設けられている。カットフィルタ２６の一方の面２６ａは、集光レンズ１６ｄの一方の面と光学的に結合されており、カットフィルタ２６の他方の面２６ｂは、後述する光学フィルタ３２の一方の面３２ａと光学的に結合されている。このカットフィルタ２６は、第３の波長の光を透過し、他の波長の光を遮断する。したがって、このカットフィルタ２４によれば、光ファイバ１８ｆからの光のうち第３の波長以外の波長の光が、光受信サブアセンブリ１６に入射することを防止することができる。
【００３１】
第１の筐体２０の内孔２０ｆには、軸線Ｘ方向に順に、光学フィルタ２８、アイソレータ３０、及び光学フィルタ３２が設けられている。光学フィルタ２８は、軸線Ｘ及び軸線Ｙに交差する面に沿って設けられている。光学フィルタ２８の一方の面２８ａは、カットフィルタ２４の他方の面２４ｂに光学的に結合されている。光学フィルタ２８の他方の面２８ｂは、集光レンズ１４ｄの他方の面に光学的に結合されている。光学フィルタ２８は、孔２０ｄからの第１の波長の光を孔２０ｆの一端側に反射し、孔２０ｆの他端側からの第２の波長の光を孔２０ｆの一端側に透過させる。
【００３２】
アイソレータ３０は、光を一方向にのみ通過させるための光学素子である。このアイソレータ３０は、孔２０ｆの一端側から孔２０ｆの他端側へ向かう光を遮断する。したがって、アイソレータ３０によれば、光ファイバ１８ｆからの第３の波長の光が、光送信サブアセンブリ１２及び１４に入射することを防止することができる。
【００３３】
光学フィルタ３２は、軸線Ｘ及び軸線Ｚに交差する面に沿って設けられている。光学フィルタ３２の一方の面３２ａは、光ファイバ１８ｆの一端及びカットフィルタ２６の他方の面２６ｂに光学的に結合されている。光学フィルタ３２の他方の面は、アイソレータ３０を介して、光学フィルタ２８の一方の面２８ａに光学的に結合されている。この光学フィルタ３２は、第１及び第２の波長の光を光ファイバ１８ｆの一端に向けて透過し、光ファイバ１８ｆの一端からの第３の波長の光を集光レンズ１６ｄの一方の面へ反射する。
【００３４】
第１の筐体２０は、スリーブ（第１の支持部）２０ｋ及びスリーブ（第２の支持部）２０ｍを更に有している。スリーブ２０ｋは、管状の部材であって、光送信サブアセンブリ１２を支持するための部材である。スリーブ２０ｋの内径は、光送信サブアセンブリ１２のスリーブ１２ｅの外径と略同様になっている。このスリーブ２０ｋは、その管軸が軸線Ｙに沿うように設けられており、本体部２０ｉの側面にＹＡＧレーザ溶接によって固定されている。したがって、スリーブ２０ｋの内孔は、孔２０ｄに連続するようになっている。
【００３５】
スリーブ２０ｍは、管状の部材であって、光受信サブアセンブリ１６を支持するための部材である。スリーブ２０ｍの内径は、光受信サブアセンブリ１６のカバー１６ｇの外形と略同様になっている。このスリーブ２０ｍは、その管軸が軸線Ｚに沿うように設けられており、第１の筐体２０の側面にＹＡＧレーザ溶接によって固定されている。本体部２０ｉの側面に固定されている。スリーブ２０ｍの内孔は、孔２０ｄに連続するようになっている。
【００３６】
第２の筐体２２は、軸線Ｘ方向に延びる管状の部材である。第２の筐体２２は、軸線Ｘ方向に順に支持部２２ａ及び収容部２２ｂを有している。支持部２２ａは、光送信サブアセンブリ１４を支持する部分であり、その内径は、光送信サブアセンブリ１４のスリーブ１４ｅの外径と略同様になっている。
【００３７】
収容部２２ｂは、第１の筐体２０の本体部２０ｉを収容するための部分である。軸線Ｘに交差する方向の収容部２２ｂのサイズは、当該方向における本体部２０ｉのサイズより大きくなっている。この収容部２２ｂは、第２の面２０ｂに対面する第３の面２２ｃをその一端に有している。
【００３８】
第２の筐体２２の収容部２２ｂには、軸線Ｙに沿って孔２２ｄが設けられている。この孔２２ｄには、スリーブ２０ｋが通っている。この孔２２ｄの径は、スリーブ２０ｋの外径より大きくなっている。また、収容部２２ｂには、軸線Ｚに沿って孔２２ｅが設けられている。この孔２２ｅにはスリーブ２０ｍが通っている。この孔２２ｅの径は、スリーブ２０ｍの外径より大きくなっている。
【００３９】
以下、この双方向光モジュール１０の組立方法について説明する。まず、第１の筐体２０の本体部２０ｉが、第２の筐体２２の収容部２２ｂ内に収容される。この状態において、スリーブ２０ｋが軸線Ｙに沿って孔２２ｄに通され、孔２２ｅにスリーブ２０ｍが軸線Ｚに沿って孔２２ｅに通される。そして、スリーブ２０ｋが、本体部２０ｉの側面にＹＡＧレーザ溶接によって固定され、スリーブ２０ｍが、本体部２０ｉの側面にＹＡＧレーザ溶接によって固定される。
【００４０】
次に、スリーブ２０ｋ内に光送信サブアセンブリ１２が挿入される。そいて、スリーブ２０ｋ内において光送信サブアセンブリ１２を軸線Ｙ方向に移動し、ホルダ１８ｂの基端を第１の面２０ａに沿わせて保持部材１８を軸線Ｘに交差する二方向へ移動させることによって、集光レンズ１２ｄと光ファイバ１８ｆとの調芯が行なわれる。これによって、集光レンズ１２ｄの他方の面と光ファイバ１８ｆの一端とが光学的に結合される。この状態において、光送信サブアセンブリ１２のスリーブ１２ｅがスリーブ２０ｋにＹＡＧレーザ溶接によって固定され、ホルダ１８ｂが第１の筐体２０に対してＹＡＧレーザ溶接によって固定される。
【００４１】
次に、スリーブ２０ｍ内に光受信サブアセンブリ１６が挿入される。そして、光受信サブアセンブリ１６のカバー１６ｇがスリーブ２０ｍにＹＡＧレーザ溶接によって固定される。これによって、集光レンズ１６ｄと光ファイバ１８ｆの一端とが光学的に結合される。
【００４２】
次に、第２の筐体２２の支持部２２ａ内に、光送信サブアセンブリ１４が挿入される。そして、光送信サブアセンブリ１４を軸線Ｘ方向に移動させつつ、第２の面２０ｂに第３の面２２ｃを沿わせて第２の筐体２２を軸線Ｘに交差する二方向に移動させることによって、集光レンズ１４ｄと光ファイバ１８ｆとの調芯が行なわれる。これによって、集光レンズ１４ｄの他方の面と光ファイバ１８ｆの一端とが光学的に結合される。この状態において、光送信サブアセンブリ１４のスリーブ１４ｅが支持部２２ａにＹＡＧレーザ溶接によって固定され、第２の筐体２２が第１の筐体２０にＹＡＧレーザ溶接によって固定される。
【００４３】
以下、本実施の形態の双方向光モジュール１０の作用・効果について説明する。この双方向光モジュール１０によれば、軸線Ｙ方向に光送信サブアセンブリ１２を移動させつつ、軸線Ｘに交差する二方向に保持部材１８を移動させることによって、集光レンズ１２ｄと光ファイバ１８ｆとの調芯を行なうことが可能である。したがって、集光レンズ１２ｄと光ファイバ１８ｆの一端との間の光路長を高精度に調整しつつ、集光レンズ１２ｄの集光位置と光ファイバ１８ｆの一端とを高精度に位置合わせすることができる。
【００４４】
また、軸線Ｘ方向に光送信サブアセンブリ１４を移動させつつ、軸線Ｘに交差する二方向に第２の筐体２２を移動させることによって、集光レンズ１４ｄと光ファイバ１８ｆとの調芯を行なうことが可能である。したがって、集光レンズ１４ｄと光ファイバ１８ｆの一端との間の光路長を高精度に調整しつつ、集光レンズ１４ｄの集光位置と光ファイバ１８ｆの一端とを高精度に位置合わせすることができる。
【００４５】
したがって、安価な集光レンズを有する二つの光送信サブアセンブリを、一芯の光ファイバ１８ｆに対して高精度に位置合わせすることが可能である。
【００４６】
また、双方向光モジュール１０によれば、第１の筐体２０及び第２の筐体２２からなる筐体に、光送信サブアセンブリ１２，１４、光受信サブアセンブリ１６、及び光ファイバ１８ｆを一体的に組み付けることが可能である。更に、高価な光合分波器等を要さず、一芯の光ファイバ１８ｆに対して、光送信サブアセンブリ１２，１４、及び光受信サブアセンブリ１６を光学的に結合することが可能である。したがって、双方向光モジュール１０は、小型且つ低コストである。
【００４７】
［第２の実施の形態］
【００４８】
図３は、本発明の第２の実施の形態に係る双方向光モジュールの断面図である。以下、図３に示す双方向光モジュール１０Ｂに関し、上述の双方向光モジュール１０と異なる点を説明する。
【００４９】
双方向光モジュール１０Ｂにおいては、光受信サブアセンブリ１６が更にスリーブ１６ｊを有している。スリーブ１６ｊは、管状の部材であり、その基端が搭載面１６ｉに支持されている。スリーブ１６ｊの一端面（第５の面）は、スリーブ２０ｍの一端面（第４の面）に対面している。スリーブ２０ｍの内径は、光受信サブアセンブリ１６のカバー１６ｇの外径よりも大きくなっている。
【００５０】
この双方向光モジュール１０Ｂによれば、スリーブ２０ｍの一端面にスリーブ１６ｊの一端面を沿わせて光受信サブアセンブリ１６を軸線Ｚに交差する二方向へ移動させることができる。したがって、集光レンズ１６ｄの一方の面と光ファイバ１８ｆの一端との調芯がより高精度に実現される。
【００５１】
なお、本発明は上記した実施の形態に限定されることなく種々の変形が可能である。例えば、上述した双方向光モジュールは、所謂ピッグテール型の双方向光モジュールであるが、レセプタクル型の双方向光モジュールであってもよい。
【００５２】
レセプタクル型の双方向光モジュールには、保持部材１８に代えて図４に示す保持部材３６を用いることができる。図４は、変形態様に係る保持部材を一部破断して示す図である。この保持部材３６は、スタブ３６ａ、弾性スリーブ３６ｂ、第１のスリーブ３６ｃ、及び第２のスリーブ３６ｄを有している。
【００５３】
スタブ３６ａは、フェルール３６ｅと光ファイバ３６ｆとを含んでいる。フェルール３６ｅは、所定方向に延びる管状の部材であり、その内孔に光ファイバ３６ｆが設けられている。スタブ３６ａは、弾性スリーブ３６ｂの基端部に保持されている。
【００５４】
弾性スリーブ３６ｂは、略管状の部材であり、径方向への伸縮が可能である。弾性スリーブ３６ｂは、その先端側の部分に挿入される光ファイバを保持する。弾性スリーブ３６ｂとしては、例えば、割スリットを有する割スリーブが例示される。この弾性スリーブ３６ｂの基端部は、第１のスリーブ３６ｃに保持されている。
【００５５】
第１のスリーブ３６ｃは、管状の部材であり、その内孔に挿入された弾性スリーブ３６ｂの基端部を介してスタブ３６ａを保持している。この第１のスリーブ３６ｃ及び弾性スリーブ３６ｂを覆うように、管状の第２のスリーブ３６ｄが設けられている。
【００５６】
この保持部材３６は、第１のスリーブ３６の基端側の面が第１の面２０ａに沿うように、第１の筐体２０に支持される。そして、この保持部材３６の光ファイバ３６ｆの一端は、集光レンズ１２ｄ、１４ｄ、及び１６ｄと光学的に結合される。
【００５７】
また、第２の筐体２２に代えて図５に示す第２の筐体２２Ｂが採用されてもよい。図５は、変形態様に係る第２の筐体を示す斜視図である。以下、第２の筐体２２Ｂに関して、第２の筐体２０と異なる点を説明する。第２の筐体２２Ｂは、孔２２ｄに代えてスリット２２ｍ、孔２２ｅに代えてスリット２２ｎを有している。スリット２２ｍ及び２２ｎは第２の筐体２２Ｂの一端まで軸線Ｘ方向に延びている。
【００５８】
この第２の筐体２２Ｂを用いる場合には、本体部２０ｉにスリーブ２０ｋ及びスリーブ２０ｍを固定した後に、第１の筐体２０を第２の筐体２２Ｂの収容部２２ｂ内に収容することが可能である。
【図面の簡単な説明】
【００５９】
【図１】図１は、本発明の第１の実施の形態に係る双方向光モジュールを一部破談して示す分解斜視図である。
【図２】図２は、本発明の第１の実施の形態に係る双方向光モジュールの断面図である。
【図３】図３は、本発明の第２の実施の形態に係る双方向光モジュールの断面図である。
【図４】図４は、変形態様に係る保持部材を一部破断して示す図である。
【図５】図５は、変形態様に係る第２の筐体を示す斜視図である。
【符号の説明】
【００６０】
１０…双方向光モジュール、１２…光送信サブアセンブリ、１２ａ…ハウジング、１２ｃ…発光素子、１２ｄ…集光レンズ、１４…光送信サブアセンブリ、１４ａ…ハウジング、１４ｃ…発光素子、１４ｄ…集光レンズ、１６…光受信サブアセンブリ、１６ａ…ハウジング、１６ｃ…受光素子、１６ｄ…集光レンズ、１８…保持部材、１８ｆ…光ファイバ、２０…第１の筐体、２０ａ…第１の面、２０ｂ…第２の面、２０ｋ…スリーブ（第１の支持部）、２０ｍ…スリーブ（第２の支持部）、２２ａ…支持部（第３の支持部）、２２ｃ…第３の面、２８…光学フィルタ（第１の光学フィルタ）、３０…アイソレータ、３２…光学フィルタ（第２の光学フィルタ）。
【図１】
2006285087.tif 000003
【図２】
2006285087.tif 000004
【図３】
2006285087.tif 000005
【図４】
2006285087.tif 000006
【図５】
2006285087.tif 000007